(57)【要約】【課題】大型化されても取扱性に優れていると共に、未使用時等に表面平滑性を損なうことなく異物の付着を防止することができる保持治具を提供すること。【解決手段】シート状に形成された弾性部材５と、前記弾性部材５を非接触状態にて収容可能な凹陥部１１を形成するように、前記弾性部材５を囲繞する堰堤部１２が形成された治具本体１０とを備えて成ることを特徴とする保持治具１。【選択図】          図２
2009239177.tif 000002
【特許請求の範囲】
【請求項１】
シート状に形成された弾性部材と、前記弾性部材を非接触状態にて収容可能な凹陥部を形成するように、前記弾性部材を囲繞する堰堤部が形成された治具本体とを備えて成ることを特徴とする保持治具。
【発明の詳細な説明】
【技術分野】
【０００１】
この発明は、保持治具に関し、さらに詳しくは、大型化されても取扱性に優れていると共に、未使用時等に表面平滑性を損なうことなく異物の付着を防止することができる保持治具に関する。
【背景技術】
【０００２】
従来、チップコンデンサ等の小型部品等を製造する際等に、この小型部品等を製造可能な小型部品用部材等をその表面に粘着保持することのできる保持治具が用いられている。このような保持治具は、通常、粘着性表面を有する弾性部材と、この弾性部材を支持する治具本体とを備えて成る。例えば、特許文献１には、「この発明の一実施例による電子部品チップ用ホルダ２１を示す斜視図である。ホルダ２１は、たとえば金属または樹脂のような材料からなる板状の本体２２を備える。本体２２上には、粘着膜２３が形成され、それによって、この粘着膜２３の表面に粘着面２４が与えられる。」と記載されている（００２９欄及び図１参照。）。
【０００３】
このような保持治具は、粘着性表面を保護すると共に粘着性表面に異物が付着することを防止するため、製造後から検査梱包までの間の未使用時、出荷時等に、例えばＰＥ、ＰＥＴ等の保護シートが粘着性表面に貼付される。粘着性表面に保護シートが貼付された保持治具はコンテナ内に積み重ねて収納され、所望により、このコンテナはさらに幾段にも載置される。このようにして、保持治具は、収納され、保存され、搬送され、及び／又は、出荷される。
【０００４】
ところが、粘着性表面に保護シートを貼付すると、通常、粘着性表面と保護シートとの間に気泡が取り込まれ、保護シートを剥離した後に粘着性表面に気泡跡が残ってしまうという問題がある。また、粘着性表面と保護シートとの間に気泡が取り込まれていない場合であっても、保護シートを剥離した後に粘着性表面に剥離シワ、剥離スジ等が生じることがあり、特に粘着性表面が強力な粘着力を有していると、粘着性表面に剥離シワ、剥離スジ等が多く発生するという問題がある。このように、粘着性表面を保護するために保護シートを貼付すると、粘着性表面に、気泡跡、剥離シワ、剥離スジ等が生じて、前記粘着性表面の表面平滑性が低下し、保持治具として所期の機能を発揮することができなくなる。
【０００５】
また、粘着性表面に保護シートが貼付された保持治具は一般的な箱形のコンテナに収納されて保存等されるので、その収納スペースが大きくなるという問題がある。
【０００６】
このような問題を解決することのできる技術として、例えば、特許文献２には、「上面及び側面の少なくとも１つの面に開口部を有し、かつ、下面及び側面の少なくとも１つの面に、粘着性保持治具を出し入れする際に前記粘着性保持治具同士が接触しない間隔を設けて、前記粘着性保持治具を固定する固定手段が複数設けられた本体と、前記開口部を密閉し、前記粘着性保持治具を収納状態にしたときの高さと同一の高さ又はそれよりもわずかに高い高さを有する密閉空間を、前記本体と共に形成する蓋体とを備え、積み重ねたときに上面及び下面に位置する面が位置ズレを防止可能な形状とされている前記粘着性保持治具を収納する収納ボックス」が記載されている。
【０００７】
ところで、保持治具は、粘着保持する被粘着物の大きさ、数、生産性等に応じて、その寸法が適宜調整され、近年は大型化されることがある。そうすると、前記気泡跡等が特に発生しやすくなるうえ、保持治具の治具本体は通常金属等で形成されるから、保持治具自体の質量が増大してその取扱性に劣る。
【０００８】
【特許文献１】特許第２６８２２５０号明細書
【特許文献２】特開２００７−９１２３０号公報
【発明の開示】
【発明が解決しようとする課題】
【０００９】
この発明は、大型化されても取扱性に優れていると共に、未使用時等に表面平滑性を損なうことなく異物の付着を防止することができる保持治具を提供することを、目的とする。
【課題を解決するための手段】
【００１０】
前記課題を解決するための手段として、
請求項１は、シート状に形成された弾性部材と、前記弾性部材を非接触状態にて収容可能な凹陥部を形成するように、前記弾性部材を囲繞する堰堤部が形成された治具本体とを備えて成ることを特徴とする保持治具である。
【発明の効果】
【００１１】
この発明に係る保持治具は、積み重ねられたときに、他の保持治具の弾性部材を非接触状態にて収容可能な凹陥部を形成するように、他の保持治具の弾性部材を囲繞する堰堤部が形成された治具本体を備えて成るから、治具本体の軽量化を達成することができると共に、保持治具同士を直接積み重ねたときに治具本体に形成された凹陥部に他の保持治具の弾性部材を非接触状態で収容する。その結果、弾性部材の粘着性表面に保護シートを貼付しなくても、他の保持治具によって粘着性表面を保護すると共に異物の付着を防止することができる。したがって、この発明によれば、大型化されても取扱性に優れていると共に、製造後から検査梱包までの間の未使用時、出荷時、収納時、保存時、搬送時又は輸送時等の使用時等に表面平滑性を損なうことなく異物の付着を防止することができる保持治具を提供することができる。
【発明を実施するための最良の形態】
【００１２】
この発明に係る保持治具における一実施例である保持治具を、図面を参照して、説明する。この保持治具１は、図１及び図２に示されるように、シート状に形成された弾性部材５と、保持治具１に積み重ねられた他の保持治具の弾性部材（図１及び図２に図示しない。）を非接触状態にて収容可能な凹陥部１１（図２参照。）を形成するように、前記他の保持治具の弾性部材を囲繞する堰堤部１２（図２参照。）が形成された治具本体１０とを備えて成る。この保持治具１は、弾性部材５の粘着性表面に弾性部材５の粘着力で被粘着物を保持することができる。
【００１３】
この発明に係る保持治具に粘着保持される被粘着物は、小型部品を製造可能な小型部品用部材、例えば、小型器具用部材、小型機械要素用部材及び小型電子部品用部材等が挙げられる。また、小型部品の製造には小型部品の搬送工程等も含まれるから、被粘着物は、小型部品そのもの、例えば、小型器具、小型機械要素及び小型電子部品等も含まれる。したがって、この発明においては、小型部品と小型部品用部材とは明確に区別される必要はない。これら被粘着物の中でも、この発明に係る保持治具が粘着保持するのに好適な被粘着物として、小型電子部品及び／又は小型電子部品用部材等が挙げられる。
【００１４】
保持治具１を構成する弾性部材５は、多数の被粘着物を粘着により保持することができるように設計され、治具本体１０の表面に方形を成すシート状に成形されている。弾性部材５すなわち粘着性表面は、例えば後述する粘着性材料の硬化物で形成され、被粘着物を粘着保持することのできる粘着力、例えば、１〜５０ｇ／ｍｍ２の粘着力を有している。弾性部材５の粘着力は、特開２００７−１６５３９７号公報に記載の「信越ポリマー法」に従って測定することができる。弾性部材５は、被粘着物を粘着保持する粘着性表面が平滑であるのがよく、具体的には、例えば、粘着性表面の十点平均粗さＲｚ（ＪＩＳ  Ｂ  ０６０１−１９９４）が５μｍ以下に調整されている。十点平均粗さＲｚは、カットオフ０．８ｍｍ、測定長さ２．４ｍｍ等の条件で測定する。また、弾性部材５は５〜６０の表面硬度（ＪＩＳ  Ｋ６２５３［デュロメータＥ］）を有している。弾性部材５は均一な厚さを有しているのがよく、例えば、０．５〜５ｍｍの厚さに調整される。
【００１５】
弾性部材５を形成する材料としては、弾性部材５に前記範囲の粘着力を付与することのできる粘着性材料であればよい。このような粘着性材料としては、例えば、フッ素系樹脂又はフッ素系ゴム、フッ素系樹脂又はフッ素系ゴムを含有するフッ素系組成物、シリコーン樹脂又はシリコーンゴム、シリコーン樹脂又はシリコーンゴムを含有するシリコーン組成物、ウレタン系エラストマー、天然ゴム、スチレン−ブタジエン共重合エラストマー等の各種エラストマー等が挙げられる。この中でも、特開２００７−３０７５２９号公報に記載の「シリコーン生ゴム（ａ）と、架橋成分（ｂ）と、粘着成分（ｃ）と、触媒（ｄ）と、シリカ系充填材（ｅ）とを含有する粘着性シリコーンゴム組成物」、特開２００７−３０７５２９号公報に記載の「シリコーン生ゴム（ａ）と、粘着成分（ｃ）と、シリカ系充填材（ｅ）と、有機過酸化物（ｆ）とを含有する粘着性シリコーンゴム組成物」が好ましい。
【００１６】
保持治具１を構成する治具本体１０は、弾性部材５を保持又は支持する。この治具本体１０は、図１及び図２に示されるように、方形を成す盤状体１３の一表面における端縁から盤状体１３の厚さ方向に略垂直に突出すると共に前記端縁に沿って延在する枠状の堰堤部１２を備え、この盤状体１３及び堰堤部１２とによって盤状体１３の一表面側に凹陥部１１が画成されている。換言すると、治具本体１０は、弾性部材５の形成予定領域よりも広く凹陥部１１となる領域が切削され、切削部分の厚さが薄くなっている。このようにこの発明に係る保持治具の治具本体は、従来の保持治具の治具本体から凹陥部１１となるべき領域を切削除去してなる。
【００１７】
治具本体１０の盤状体１３は、平滑な表面を有しているが、弾性部材５を保持又は支持することができる限り種々の設計変更に基づく各種の形態にすることができる。この例における盤状体１３は２８０×１８０ｍｍに形成されている。盤状体１３は、弾性部材５を保持又は支持可能な厚さを有していればよく、盤状体１３は均一な厚さを有しているのが特によい。この盤状体１３は、凹陥部１１と同じ厚さを有しており、例えば、０．２〜５ｍｍの厚さに調整される。
【００１８】
治具本体１０の堰堤部１２は、前記したように、盤状体１３の端縁に沿って端縁を一巡するように、盤状体１３と一体に形成されている。堰堤部１２の高さ及び幅は、後述するように、凹陥部１１が弾性部材５を非接触状態にて収容することができる範囲で適宜調整される。例えば、盤状体１３の厚さと堰堤部１２の高さとの合計は６〜１０ｍｍに調整される。
【００１９】
凹陥部１１は、図示しない他の保持治具における弾性部材（以下、他の弾性部材と称することがある。）を非接触状態にて収容可能に形成されている。具体的には、凹陥部１１は他の弾性部材の平面形状と略同様の平面形状すなわち方形をなし、その平面形状における表面積が他の弾性部材の表面積よりも大きく調整されている。ここで、凹陥部１１の平面形状における表面積と他の弾性部材の表面積との差は特に限定されない。また、凹陥部１１を形成する堰堤部１２はその高さが他の弾性部材の厚さよりも大きく調整されていればよく、堰堤部１２の高さと他の弾性部材の厚さとの差は特に限定されない。例えば、この凹陥部１１は、他の弾性部材の表面積に対して１０１〜１５０％の表面積、他の弾性部材の厚さに対して１０１〜１５０％の高さに調整されている。
【００２０】
盤状体１３に形成される弾性部材５は、盤状体１３の凹陥部１１が形成されていない他の表面に形成される。盤状体１３の両面側それぞれに形成される弾性部材５及び凹陥部１１とは、それらの重心が一致するように、配置されている。
【００２１】
盤状体１３の弾性部材５が形成される表面には、複数の保持治具を積み重ねたときに、保持治具同士の位置ズレを防止する係止片１４が形成されている。係止片１４は、図１及び図２に示されるように、治具本体１０の短手方向両端近傍それぞれに、治具本体１０の長手方向に沿って等間隔に３つずつ形成されている。また、複数の保持治具を積み重ねたときに、盤状体１３の堰堤部１２における前記係止片１４に対応する位置に、前記係止片１４に係止する係止凹部１５が形成されている。
【００２２】
治具本体１０を形成する材料としては、弾性部材５を保持又は支持可能な材料であればよく、例えば、ステンレス鋼及びアルミニウム等の金属製プレート、金属箔、樹脂フィルム、樹脂板、セラミックス等を挙げることができる。治具本体１０を構成する盤状体１３と堰堤部１２とは同じ材料で形成されても、異なる材料で形成されてもよい。
【００２３】
このような構成を有する保持治具１は、被粘着物を粘着保持するのに使用するが、製造後から検査梱包までの間の未使用時等、及び、出荷時、収納時、保存時、搬送時又は輸送時等の使用時等には、図３に示されるように、積み重ねられる。
【００２４】
３つの保持治具１Ａ、１Ｂ及び１Ｃを積み重ねる場合を例にして説明する。複数の保持治具１を積み重ねるには、図３に示されるように、基本的に、同様に形成された複数の保持治具１Ａ、１Ｂ及び１Ｃを用いる。
【００２５】
まず、収納予定位置等に保持治具１Ａを配置して、保持治具１Ａ上に保持治具１Ｂを積み重ねる。このとき、保持治具１Ａの係止片１４Ａと保持治具１Ｂの係止凹部１５Ｂとを係止させる。そうすると、係止片１４Ａと係止凹部１５Ｂとは前記したように対応する位置に形成され、かつ、保持治具１Ｂの堰堤部１２Ｂ及び凹陥部１１Ｂが前記のように形成されているから、図３に示されるように、保持治具１Ａの弾性部材５Ａが保持治具１Ｂの凹陥部１１Ｂ内に非接触状態かつ密閉状態にて収納される。また、係止片１４Ａと係止凹部１５Ｂとによって保持治具１Ａと保持治具１Ｂとが一体となって、保持治具１Ａに対する保持治具１Ｂの相対的な移動が防止される。
【００２６】
次いで、保持治具１Ｂと同様にして、保持治具１Ｂ上に保持治具１Ｃを積み重ねる。そうすると、保持治具１Ｂの弾性部材５Ｂが保持治具１Ｃの凹陥部１１Ｃ内に非接触状態かつ密閉状態にて収納されると共に、係止片１４Ｂと係止凹部１５Ｃ等とによって保持治具１Ａと保持治具１Ｂと保持治具１Ｃとが一体となって、保持治具それぞれの相対的な移動が防止される。
【００２７】
このようにして積み重ねられた保持治具１Ｃ上に、所望により、保持治具１Ｃの弾性部材５Ｃを非接触状態かつ密閉状態にて収納可能な凹部８を有する蓋部材７を積み重ねる。この蓋部材７は、例えば、図３に示されるように、保持治具１の治具本体１０と基本的に同様に形成されている。このようにして積み重ねられた保持治具を搬送等する際には、保持治具の積重体にゴムバンド等をかけて、保持治具の積重状態を保持することができる。
【００２８】
このようにして、３つの保持治具１Ａ、１Ｂ及び１Ｃを積み重ねることができる。そして、このように積み重ねられた保持治具１は、その治具本体１０で他の保持治具の弾性部材５を密閉状態かつ非接触状態にて凹陥部１１に収納して保護すると共に、自身の弾性部材５が他の保持治具の凹陥部１１に密閉状態かつ非接触状態にて収納されて保護される。したがって、保持治具１が積み重ねられた状態において、弾性部材５は保護シートが貼付される必要がないから、保持治具１は、弾性部材５の粘着性表面における表面平滑性を損なうことなく異物が付着することを防止することができる。
【００２９】
また、保持治具１は、その治具本体１０に凹陥部１１が設けられて軽量化されているから、保持治具１が大型化されても取扱性を大きく犠牲にすることがない。
【００３０】
さらに、保持治具１は、保持治具同士を直接積み重ねることができるから、その積重体の積重スペースが小さくなり、積み重ねる数にかかわらず、小さな収納スペースで積み重ねることができる。また、保持治具１が係止片１４及び係止凹部１５を備えていると、積み重ねた保持治具１同士の移動を効果的に規制することができ、保持治具１はその積重状態を非常に安定化することができる。
【００３１】
この発明に係る保持治具における別の一実施例である保持治具を、図面を参照して、説明する。この保持治具２は、図４に積重状態が示されているように、係止片及び係止凹部に代えて締結具が装着されるように構成されている以外は、保持治具１と基本的に同様である。すなわち、保持治具２は、シート状に形成された弾性部材５と、保持治具２に積み重ねられた他の保持治具の弾性部材５を非接触状態にて収容可能な凹陥部１１を形成するように、前記他の保持治具の弾性部材５を囲繞する堰堤部１２が形成された治具本体１０とを備えて成る。
【００３２】
保持治具２のうち最下段に配置される保持治具２Ａは、盤状体１３Ａの弾性部材５Ａが形成される表面に、締結具例えばボルト１６が螺合される螺合穴１７が未貫通状態に形成されている。螺合穴１７はボルト１６と螺合するようにその内表面に螺旋溝が形成されている。この螺合穴１７の形成位置は特に限定されず、この例においては、保持治具１の係止片１４が形成された位置と同じ位置に堰堤部１２Ａ内まで形成されている。
【００３３】
保持治具２のうち最下段に配置される保持治具２Ａ以外の保持治具２Ｂ及び２Ｃは、前記螺合穴１７に代えて貫通孔１８が貫通形成されている。この貫通孔１８は、ボルト１６と螺合するようにその内表面に螺旋溝が形成されていてもよく、螺旋溝が形成されていなくてもよい。この貫通孔１８の形成位置は特に限定されず、この例においては、保持治具１の係止片１４が形成された位置と同じ位置に、盤状体及び堰堤部を貫通するように、形成されている。
【００３４】
このような構成を有する保持治具２は、保持治具１と同様に、図４に示されるように、複数が積み重ねられた状態にされる。３つの保持治具２Ａ、２Ｂ及び２Ｃを積み重ねる場合を例にして、説明する。保持治具２Ｂ及び２Ｃは基本的に同様に形成されている。
【００３５】
まず、収納予定位置等に保持治具２Ａを配置して、保持治具２Ａ上に保持治具２Ｂを積み重ねる。このとき、図４に示されるように、保持治具２Ａの弾性部材５Ａが保持治具２Ｂの凹陥部１１Ｂ内に非接触状態かつ密閉状態にて収納されるように、保持治具２Ｂを保持治具２Ａ上に配置する。次いで、保持治具２Ｂと同様にして、保持治具２Ｂの弾性部材５Ｂが保持治具２Ｃの凹陥部１１Ｃ内に非接触状態かつ密閉状態にて収納されるように、保持治具２Ｂ上に保持治具２Ｃを積み重ねる。
【００３６】
このようにして積み重ねられた保持治具２Ｃ上に、所望により、保持治具２Ｃの弾性部材５Ｃを非接触状態にて収納可能な凹部８を有する蓋部材７を積み重ねる。この蓋部材７は、例えば、図４に示されるように、保持治具２Ｂの治具本体１０Ｂと基本的に同様に形成されている。
【００３７】
そして、保持治具２Ｃの貫通孔１８又は蓋部材７の貫通孔１８からボルト１６を挿入し、ボルト１６を保持治具２Ａの螺合穴１７に螺合して、保持治具２Ａ、２Ｂ、２Ｃ及び蓋部材７が一体となって、保持治具２Ａ、２Ｂ、２Ｃ及び蓋部材７それぞれの相対的な移動が防止される。このようにして積み重ねられた保持治具を搬送等する際には、保持治具の積重体にゴムバンド等をかけて、保持治具の積重状態を保持することができる。
【００３８】
このようにして、３つの保持治具２Ａ、２Ｂ及び２Ｃを積み重ねることができる。そして、このようにして保持治具２が積み重ねられた状態において、前記保持治具１と同様に、弾性部材５は保護シートが貼付される必要がないから、保持治具２は、弾性部材５の粘着性表面における表面平滑性を損なうことなく異物が付着することを防止することができる。
【００３９】
また、前記保持治具１と同様に、保持治具２は、保持治具２が大型化されても取扱性を大きく犠牲にすることがなく、小さな収納スペースで積み重ねることができる。さらに、前記保持治具１と同様に、保持治具２はその積重状態を非常に安定化することができる。
【００４０】
この発明に係る保持治具は、前記材料を用いて、通常の加工方法、例えば、成形、研削等により、製造することができる。弾性部材は、前記材料に応じて適宜の硬化条件で硬化して形成することができる。
【００４１】
この発明に係る保持治具は、前記した実施例に限定されることはなく、本願発明の目的を達成することができる範囲において、種々の変更が可能である。例えば、保持治具１及び２において、堰堤部１２は盤状体１３の一表面から厚さ方向に沿って垂直に形成されているが、この発明において、堰堤部は盤状体の一表面の垂直方向に対して傾斜して形成されていてもよい。
【００４２】
また、保持治具１及び２において、堰堤部１２は盤状体１３の端縁に沿って端縁を一巡するように形成されているが、この発明において、異物の付着を防止することができれば、堰堤部は盤状体の端縁を一巡するように形成されてなくてもよい。
【００４３】
さらに、保持治具１及び２において、凹陥部１１の平面形状は弾性部材５の平面形状と略同様の平面形状とされているが、この発明において、凹陥部の平面形状は、弾性部材を非接触状態で収容することができる形状であればよく、弾性部材の平面形状と略同様の平面形状である必要はない。
【００４４】
保持治具１及び２の積み重ね方法において、３つの保持治具を積み重ねる場合を説明したが、この発明において、保持治具は、２又は４以上が積み重ねられてもよく、積み重ねられる保持治具の数は特に限定されない。
【００４５】
この発明に係る保持治具は複数を一組として保持治具セットとすることができる。この発明に係る保持治具セットとして、例えば、図３に示される前記保持治具１を複数有する保持治具セット、図４に示される前記保持治具２を複数有する保持治具セット等が挙げられる。この発明に係る保持治具セットは、同種の保持治具からなる保持治具セットである必要はなく、例えば、保持治具１と保持治具２とからなる保持治具セットであってもよい。この場合には、係止片及び係止凹部並びに締結具の代わる位置ズレ防止部材例えば前記ベルト等を用いてもよい。この発明に係る保持治具セットにおいて、構成する保持治具の数は特に限定されず、２以上であればよい。この発明に係る保持治具セットには、例えば、前記蓋部材７が付属されていてもよい。
【００４６】
この発明に係る保持治具セットは、この発明に係る保持治具を備えているから、大型化されても取扱性に優れていると共に、未使用時等に表面平滑性を損なうことなく異物の付着を防止することができる。したがって、この発明によれば、大型化されても取扱性に優れていると共に、未使用時等に表面平滑性を損なうことなく異物の付着を防止することができる保持治具セットを提供するという目的を達成することができる。
【図面の簡単な説明】
【００４７】
【図１】図１は、この発明に係る保持治具の一実施例である保持治具を示す斜視図である。
【図２】図２は、図１のＡ−Ａ線における断面を示す断面図である。
【図３】図３は、この発明に係る保持治具の一実施例である保持治具を積み重ねた状態を説明する断面図である。
【図４】図４は、この発明に係る保持治具の別の一実施例である保持治具を積み重ねた状態を説明する断面図である。
【符号の説明】
【００４８】
１、１Ａ、１Ｂ、１Ｃ、２、２Ａ、２Ｂ、２Ｃ  保持治具
５  弾性部材
７  蓋部材
８  凹部
１０、１０Ｂ  治具本体
１１、１１Ｂ、１１Ｃ  凹陥部
１２、１２Ｂ  堰堤部
１３、１３Ａ  盤状体
１４、１４Ａ、１４Ｂ  係止片
１５、１５Ｂ、１５Ｃ  係止凹部
１６  ボルト
１７  螺合穴
１８  貫通孔
【図１】
2009239177.tif 000003
【図２】
2009239177.tif 000004
【図３】
2009239177.tif 000005
【図４】
2009239177.tif 000006